【手続補正書】
【提出日】平成17年11月1日(2005.11.1)
【手続補正１】
【補正対象書類名】明細書
【補正対象項目名】特許請求の範囲
【補正方法】変更
【補正の内容】
【特許請求の範囲】
【請求項１】
所定の電気機器の需要電力を予め記憶されたデマンド目標値に対して制御するデマンド制御装置であって、
前記電気機器の電気料金の支払算定の基準となる運用周期の間に、需要電力の実績が最初に前記デマンド目標値を越えた時点に限り、当該デマンド目標値を、前記運用周期内で当該デマンド目標値を超えた需要電力に応じて変更することを特徴とするデマンド制御装置。
【請求項２】
所定の電気機器の需要電力を予め記憶されたデマンド目標値に対して制御するデマンド制御装置であって、
前記電気機器の電気料金の支払算定の基準となる運用周期の間に、需要電力の実績が前記デマンド目標値を越えた回数が所定の値以上となったときに限り、当該デマンド目標値を、前記運用周期内で当該デマンド目標値を超えた需要電力に応じて変更することを特徴とするデマンド制御装置。
【請求項３】
所定の電気機器の需要電力を予め記憶されたデマンド目標値に対して制御するデマンド制御装置であって、
前記電気機器の電気料金の支払算定の基準となる運用周期の間に、需要電力の実績がデマンド目標値を越えた場合に、不快となる程度が一定のレベルを越えたことを意味する所定の条件を満たしたときに限り、当該デマンド目標値を、前記運用周期内で当該デマンド目標値を超えた需要電力に応じて変更することを特徴とするデマンド制御装置。
【請求項４】
所定の電気機器の需要電力を予め記憶されたデマンド目標値に対して制御するデマンド制御装置であって、
前記電気機器の電気料金の支払算定の基準となる運用周期の間に、前記需要電力の実績が最初に前記デマンド目標値を越えた時点に限り、当該デマンド目標値を、前記運用周期内で当該デマンド目標値を超えた需要電力に応じて変更する第１のモードと、
前記運用周期の間に、前記需要電力の実績が前記デマンド目標値を越えた回数が所定の値以上となったときに限り、当該デマンド目標値を、前記運用周期内で当該デマンド目標値を超えた需要電力に応じて変更する第２のモードと、
前記運用周期の間に、前記需要電力の実績が前記デマンド目標値を越えた場合に、不快となる程度が一定のレベルを越えたことを意味する所定の条件を満たしたときに限り、当該デマンド目標値を、前記運用周期内で当該デマンド目標値を超えた需要電力に応じて変更する第３のモードと、
のうちの２つ以上のモードを選択可能とされたことを特徴とするデマンド制御装置。
【請求項５】
請求項１乃至請求項４のいずれか一つに記載のデマンド制御装置であって、
前記デマンド目標値を設定するデマンド目標値設定手段（２）と、
前記需要電力を算出するとともに、前記デマンド目標値設定手段で設定された前記デマンド目標値に基づいて前記需要電力を制御するデマンド制御手段（１）と
を備え、
前記デマンド目標値設定手段が、前記デマンド制御手段で算出された前記運用周期内の需要電力の最大値に応じて前記デマンド目標値を変更することを特徴とするデマンド制御装置。
【請求項６】
請求項１ないし請求項５のいずれか一つに記載のデマンド制御装置であって、
前記デマンド目標値を前記運用周期内で当該デマンド目標値を超えた需要電力に応じて変更する際、前記デマンド目標値を前記運用周期内の需要電力の最大値に等しく設定することを特徴とするデマンド制御装置。
【請求項７】
請求項１ないし請求項５のいずれか一つに記載のデマンド制御装置であって、
前記デマンド目標値を前記運用周期内で当該デマンド目標値を超えた需要電力に応じて変更する際、前記運用周期内の需要電力の大きさの順位が相対的に高い需要電力の値を前記デマンド目標値とすることを特徴とするデマンド制御装置。
【請求項８】
請求項１ないし請求項５のいずれか一つに記載のデマンド制御装置であって、
前記デマンド目標値を前記運用周期内で当該デマンド目標値を超えた需要電力に応じて変更する際、前記デマンド目標値を前記運用周期内の需要電力に対して所定の比率倍を演算して設定することを特徴とするデマンド制御装置。
【請求項９】
所定の電気機器の需要電力を予め記憶されたデマンド目標値に対して制御するデマンド制御装置であって、
不快となる程度が一定のレベルを越えたことを意味する所定の条件を満たしたときに、当該デマンド目標値を変更することを特徴とするデマンド制御装置。
【請求項１０】
所定の電気機器の需要電力を予め記憶されたデマンド目標値に対して制御するデマンド制御方法であって、
前記電気機器の電気料金の支払算定の基準となる運用周期の間に、需要電力の実績が最初に前記デマンド目標値を越えた時点に限り、当該デマンド目標値を、前記運用周期内で当該デマンド目標値を超えた需要電力に応じて変更することを特徴とするデマンド制御方法。
【請求項１１】
所定の電気機器の需要電力を予め記憶されたデマンド目標値に対して制御するデマンド制御方法であって、
前記電気機器の電気料金の支払算定の基準となる運用周期の間に、需要電力の実績が前記デマンド目標値を越えた回数が所定の値以上となったときに限り、当該デマンド目標値を、前記運用周期内で当該デマンド目標値を超えた需要電力に応じて変更することを特徴とするデマンド制御方法。
【請求項１２】
所定の電気機器の需要電力を予め記憶されたデマンド目標値に対して制御するデマンド制御方法であって、
前記電気機器の電気料金の支払算定の基準となる運用周期の間に、需要電力の実績がデマンド目標値を越えた場合に、不快となる程度が一定のレベルを越えたことを意味する所定の条件を満たしたときに限り、当該デマンド目標値を、前記運用周期内で当該デマンド目標値を超えた需要電力に応じて変更することを特徴とするデマンド制御方法。
【請求項１３】
所定の電気機器の需要電力を予め記憶されたデマンド目標値に対して制御するデマンド制御方法であって、
前記電気機器の電気料金の支払算定の基準となる運用周期の間に、前記需要電力の実績が最初に前記デマンド目標値を越えた時点に限り、当該デマンド目標値を、前記運用周期内で当該デマンド目標値を超えた需要電力に応じて変更する第１のモードと、
前記運用周期の間に、前記需要電力の実績が前記デマンド目標値を越えた回数が所定の値以上となったときに限り、当該デマンド目標値を、前記運用周期内で当該デマンド目標値を超えた需要電力に応じて変更する第２のモードと、
前記運用周期の間に、前記需要電力の実績が前記デマンド目標値を越えた場合に、不快となる程度が一定のレベルを越えたことを意味する所定の条件を満たしたときに限り、当該デマンド目標値を、前記運用周期内で当該デマンド目標値を超えた需要電力に応じて変更する第３のモードと、
のうちの２つ以上のモードを選択可能とされたことを特徴とするデマンド制御方法。
【請求項１４】
請求項１０乃至請求項１３のいずれか一つに記載のデマンド制御方法であって、
所定のデマンド目標値設定手段（２）により、前記デマンド目標値を設定する第１の工程と、
所定のデマンド制御手段（１）により、前記需要電力を算出するとともに、前記デマンド目標値設定手段で設定された前記デマンド目標値に基づいて前記需要電力を制御する第２の工程とを備え、
前記第１の工程において、前記デマンド目標値設定手段が、前記デマンド制御手段で算出された前記運用周期内の需要電力の最大値に応じて前記デマンド目標値を変更することを特徴とするデマンド制御方法。
【請求項１５】
請求項１０ないし請求項１３のいずれか一つに記載のデマンド制御方法であって、
前記デマンド目標値を前記運用周期内で当該デマンド目標値を超えた需要電力に応じて変更する際、前記デマンド目標値を前記運用周期内の需要電力の最大値に等しく設定することを特徴とするデマンド制御方法。
【請求項１６】
請求項１０ないし請求項１３のいずれか一つに記載のデマンド制御方法であって、
前記デマンド目標値を前記運用周期内で当該デマンド目標値を超えた需要電力に応じて変更する際、前記運用周期内の需要電力の大きさの順位が相対的に高い需要電力の値を前記デマンド目標値とすることを特徴とするデマンド制御方法。
【請求項１７】
請求項１０ないし請求項１３のいずれか一つに記載のデマンド制御方法であって、
前記デマンド目標値を前記運用周期内で当該デマンド目標値を超えた需要電力に応じて変更する際、前記デマンド目標値を前記運用周期内の需要電力に対して所定の比率倍を演算して設定することを特徴とするデマンド制御方法。
【請求項１８】
所定の電気機器の需要電力を予め記憶されたデマンド目標値に対して制御するデマンド制御方法であって、
不快となる程度が一定のレベルを越えたことを意味する所定の条件を満たしたときに、当該デマンド目標値を変更することを特徴とするデマンド制御方法。
【手続補正２】
【補正対象書類名】明細書
【補正対象項目名】００１８
【補正方法】変更
【補正の内容】
【００１８】
【課題を解決するための手段】
上記課題を解決すべく、請求項１に記載の発明は、所定の電気機器の需要電力を予め記憶されたデマンド目標値に対して制御するデマンド制御装置であって、前記電気機器の電気料金の支払算定の基準となる運用周期の間に、需要電力の実績が最初にデマンド目標値を越えた時点に限り、当該デマンド目標値を、前記運用周期内で当該デマンド目標値を超えた需要電力に応じて変更するものである。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】変更
【補正の内容】
【００２１】
請求項２に記載の発明は、所定の電気機器の需要電力を予め記憶されたデマンド目標値に対して制御するデマンド制御装置であって、前記電気機器の電気料金の支払算定の基準となる運用周期の間に、前記需要電力の実績が前記デマンド目標値を越えた回数が所定の値以上となったときに限り、当該デマンド目標値を、前記運用周期内で当該デマンド目標値を超えた需要電力に応じて変更するものである。
【手続補正６】
【補正対象書類名】明細書
【補正対象項目名】００２２
【補正方法】変更
【補正の内容】
【００２２】
請求項３に記載の発明は、所定の電気機器の需要電力を予め記憶されたデマンド目標値に対して制御するデマンド制御装置であって、前記電気機器の電気料金の支払算定の基準となる運用周期の間に、前記需要電力の実績が前記デマンド目標値を越えた場合に、不快となる程度が一定のレベルを越えたことを意味する所定の条件を満たしたときに限り、当該デマンド目標値を、前記運用周期内で当該デマンド目標値を超えた需要電力に応じて変更するものである。
【手続補正７】
【補正対象書類名】明細書
【補正対象項目名】００２３
【補正方法】変更
【補正の内容】
【００２３】
請求項４に記載の発明は、所定の電気機器の需要電力を予め記憶されたデマンド目標値に対して制御するデマンド制御装置であって、前記電気機器の電気料金の支払算定の基準となる運用周期の間に、前記需要電力の実績が最初に前記デマンド目標値を越えた時点に限り、当該デマンド目標値を、前記運用周期内で当該デマンド目標値を超えた需要電力に応じて変更する第１のモードと、前記運用周期の間に、前記需要電力の実績が前記デマンド目標値を越えた回数が所定の値以上となったときに限り、当該デマンド目標値を、前記運用周期内で当該デマンド目標値を超えた需要電力に応じて変更する第２のモードと、前記運用周期の間に、前記需要電力の実績が前記デマンド目標値を越えた場合に、不快となる程度が一定のレベルを越えたことを意味する所定の条件を満たしたときに限り、当該デマンド目標値を、前記運用周期内で当該デマンド目標値を超えた需要電力に応じて変更する第３のモードと、のうちの２つ以上のモードを選択可能とされたものである。
請求項５に記載の発明は、請求項１ないし請求項４のいずれかに記載のデマンド制御装置であって、前記デマンド目標値を設定するデマンド目標値設定手段（２）と、前記需要電力を算出するとともに、前記デマンド目標値設定手段で設定された前記デマンド目標値に基づいて前記需要電力を制御するデマンド制御手段（１）とを備える。そして前記デマンド目標値設定手段が、前記デマンド制御手段で算出された前記運用周期内の需要電力の最大値に応じて前記デマンド目標値を変更する。
【手続補正８】
【補正対象書類名】明細書
【補正対象項目名】００２４
【補正方法】変更
【補正の内容】
【００２４】
請求項６に記載の発明は、請求項１ないし請求項５のいずれかに記載のデマンド制御装置であって、前記デマンド目標値を前記運用周期内で当該デマンド目標値を超えた需要電力に応じて変更する際、前記デマンド目標値を前記運用周期内の需要電力の最大値に等しく設定するものである。
【手続補正９】
【補正対象書類名】明細書
【補正対象項目名】００２５
【補正方法】変更
【補正の内容】
【００２５】
請求項７に記載の発明は、請求項１ないし請求項５のいずれかに記載のデマンド制御装置であって、前記デマンド目標値を前記運用周期内で当該デマンド目標値を超えた需要電力に応じて変更する際、前記運用周期内の需要電力の大きさの順位が相対的に高い需要電力の値を前記デマンド目標値とするものである。
【手続補正１０】
【補正対象書類名】明細書
【補正対象項目名】００２６
【補正方法】変更
【補正の内容】
【００２６】
請求項８に記載の発明は、請求項１ないし請求項５のいずれかに記載のデマンド制御装置であって、前記デマンド目標値を前記運用周期内で当該デマンド目標値を超えた需要電力に応じて変更する際、前記デマンド目標値を前記運用周期内の需要電力に対して所定の比率倍を演算して設定するものである。
請求項９に記載の発明は、所定の電気機器の需要電力を予め記憶されたデマンド目標値に対して制御するデマンド制御装置であって、不快となる程度が一定のレベルを越えたことを意味する所定の条件を満たしたときに、当該デマンド目標値を変更する。
【手続補正１１】
【補正対象書類名】明細書
【補正対象項目名】００２７
【補正方法】変更
【補正の内容】
【００２７】
請求項１０に記載の発明は、所定の電気機器の需要電力を予め記憶されたデマンド目標値に対して制御するデマンド制御方法であって、前記電気機器の電気料金の支払算定の基準となる運用周期の間に、需要電力の実績が最初にデマンド目標値を越えた時点に限り、当該デマンド目標値を、前記運用周期内で当該デマンド目標値を超えた需要電力に応じて変更する。
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】変更
【補正の内容】
【００３０】
請求項１１に記載の発明は、所定の電気機器の需要電力を予め記憶されたデマンド目標値に対して制御するデマンド制御方法であって、前記電気機器の電気料金の支払算定の基準となる運用周期の間に、前記需要電力の実績が前記デマンド目標値を越えた回数が所定の値以上となったときに限り、当該デマンド目標値を、前記運用周期内で当該デマンド目標値を超えた需要電力に応じて変更する。
【手続補正１５】
【補正対象書類名】明細書
【補正対象項目名】００３１
【補正方法】変更
【補正の内容】
【００３１】
請求項１２に記載の発明は、所定の電気機器の需要電力を予め記憶されたデマンド目標値に対して制御するデマンド制御方法であって、前記電気機器の電気料金の支払算定の基準となる運用周期の間に、前記需要電力の実績が前記デマンド目標値を越えた場合に、不快となる程度が一定のレベルを越えたことを意味する所定の条件を満たしたときに限り、当該デマンド目標値を、前記運用周期内で当該デマンド目標値を超えた需要電力に応じて変更する。
【手続補正１６】
【補正対象書類名】明細書
【補正対象項目名】００３２
【補正方法】変更
【補正の内容】
【００３２】
請求項１３に記載の発明は、所定の電気機器の需要電力を予め記憶されたデマンド目標値に対して制御するデマンド制御方法であって、前記電気機器の電気料金の支払算定の基準となる運用周期の間に、前記需要電力の実績が最初に前記デマンド目標値を越えた時点に限り、当該デマンド目標値を、前記運用周期内で当該デマンド目標値を超えた需要電力に応じて変更する第１のモードと、前記運用周期の間に、前記需要電力の実績が前記デマンド目標値を越えた回数が所定の値以上となったときに限り、当該デマンド目標値を、前記運用周期内で当該デマンド目標値を超えた需要電力に応じて変更する第２のモードと、前記運用周期の間に、前記需要電力の実績が前記デマンド目標値を越えた場合に、不快となる程度が一定のレベルを越えたことを意味する所定の条件を満たしたときに限り、当該デマンド目標値を、前記運用周期内で当該デマンド目標値を超えた需要電力に応じて変更する第３のモードと、のうちの２つ以上のモードを選択可能とされる。
請求項１４に記載の発明は、請求項１０乃至請求項１３のいずれかに記載のデマンド制御方法であって、所定のデマンド目標値設定手段（２）により、前記デマンド目標値を設定する第１の工程と、所定のデマンド制御手段（１）により、前記需要電力を算出するとともに、前記デマンド目標値設定手段で設定された前記デマンド目標値に基づいて前記需要電力を制御する第２の工程とを備え、前記第１の工程において、前記デマンド目標値設定手段が、前記デマンド制御手段で算出された前記運用周期内の需要電力の最大値に応じて前記デマンド目標値を変更する。
【手続補正１７】
【補正対象書類名】明細書
【補正対象項目名】００３３
【補正方法】変更
【補正の内容】
【００３３】
請求項１５に記載の発明は、請求項１０ないし請求項１３のいずれかに記載のデマンド制御方法であって、前記デマンド目標値を前記運用周期内で当該デマンド目標値を超えた需要電力に応じて変更する際、前記デマンド目標値を前記運用周期内の需要電力の最大値に等しく設定する。
【手続補正１８】
【補正対象書類名】明細書
【補正対象項目名】００３４
【補正方法】変更
【補正の内容】
【００３４】
請求項１６に記載の発明は、請求項１０ないし請求項１３のいずれかに記載のデマンド制御方法であって、前記デマンド目標値を前記運用周期内で当該デマンド目標値を超えた需要電力に応じて変更する際、前記運用周期内の需要電力の大きさの順位が相対的に高い需要電力の値を前記デマンド目標値とする。
【手続補正１９】
【補正対象書類名】明細書
【補正対象項目名】００３５
【補正方法】変更
【補正の内容】
【００３５】
請求項１７に記載の発明は、請求項１０ないし請求項１３のいずれかに記載のデマンド制御方法であって、前記デマンド目標値を前記運用周期内で当該デマンド目標値を超えた需要電力に応じて変更する際、前記デマンド目標値を前記運用周期内の需要電力に対して所定の比率倍を演算して設定する。
請求項１８に記載の発明は、所定の電気機器の需要電力を予め記憶されたデマンド目標値に対して制御するデマンド制御方法であって、不快となる程度が一定のレベルを越えたことを意味する所定の条件を満たしたときに、当該デマンド目標値を変更する。
【手続補正２０】
【補正対象書類名】明細書
【補正対象項目名】００７１
【補正方法】変更
【補正の内容】
【００７１】
【発明の効果】
この発明によれば、電気機器の電気料金の支払算定の基準となる運用周期の間に、需要電力の実績がデマンド目標値を越えた時点で、当該デマンド目標値を、運用周期内で当該デマンド目標値を超えた需要電力に応じて変更するので、例えば前年が冷夏であった場合、実績がデマンド目標値を上回った場合で、最大需要電力を元のデマンド目標値以下に抑制するという意味はなくなってしまった場合に、必要もなく最大需要電力を元のデマンド目標値以下に抑制することを続けることを防止でき、電力会社に支払う電気料金に見合った最適な快適性を実現することができる。したがって、快適性悪化及び品質低下が生じにくくなる。また、前年が冷夏でない場合には、デマンド目標値に従って最適なデマンド制御を行うことができるので、デマンド目標値が高すぎてしまってデマンド制御の効果が得られない事態を防止できる。そして、マニュアルで目標値を変える場合に比べて、ユーザーの判断にゆだねられることがなく、設定管理に個人差がでることを防止でき、ユーザー（担当者）が変わった時にも問題なく確実にデマンド目標値の変更ができる。
【手続補正２１】
【補正対象書類名】明細書
【補正対象項目名】００７３
【補正方法】変更
【補正の内容】
【００７３】
請求項１及び請求項１０に記載の発明によれば、電気機器の支払算定の基準となる運用周期の間に、需要電力の実績が最初にデマンド目標値を越えた時点に限り、当該デマンド目標値を、運用周期内で当該デマンド目標値を超えた需要電力に応じて変更するので、当月においてデマンド目標値の変更を１回に限ることができ、デマンド目標値が高くなり易くなるという欠点を解消することができる。
【手続補正２２】
【補正対象書類名】明細書
【補正対象項目名】００７４
【補正方法】変更
【補正の内容】
【００７４】
請求項２及び請求項１１に記載の発明によれば、当月においてデマンド目標値の変更を、デマンド目標値オーバーが所定の複数回Ｎだけ発生するのを待ってから実行するので、デマンド目標値の変更をある程度抑制することができ、このデマンド目標値が高くなり易くなるという欠点を緩和することができる。
【手続補正２３】
【補正対象書類名】明細書
【補正対象項目名】００７５
【補正方法】変更
【補正の内容】
【００７５】
請求項３及び請求項１２に記載の発明によれば、電気機器の支払算定の基準となる運用周期の間に、需要電力の実績がデマンド目標値を越えた場合に、不快となる程度が一定のレベルを越えたことを意味する所定の条件を満たしたときに限り、当該デマンド目標値を、運用周期内で当該デマンド目標値を超えた需要電力に応じて変更するので、デマンド目標値の変更をある程度抑制しながら、不快な環境を緩和することができ、このデマンド目標値が高くなり易くなるという欠点を、不快な環境といった実情に応じて緩和することができる。
【手続補正２４】
【補正対象書類名】明細書
【補正対象項目名】００７６
【補正方法】変更
【補正の内容】
【００７６】
請求項４及び請求項１３に記載の発明によれば、ユーザーにより恣意的に条件を選択できるので、デマンド目標値を維持するという要求と快適性、品質のバランスを最適化することができる。